【手続補正書】
【提出日】平成16年11月26日(2004.11.26)
【手続補正１】
【補正対象書類名】明細書
【補正対象項目名】発明の名称
【補正方法】変更
【補正の内容】
【発明の名称】プラズマディスプレイ装置及びプラズマディスプレイパネル用駆動装置
【手続補正２】
【補正対象書類名】明細書
【補正対象項目名】特許請求の範囲
【補正方法】変更
【補正の内容】
【特許請求の範囲】
【請求項１】
（ａ）第１電極及び第２電極を含む放電セルを備えたプラズマディスプレイパネルと、（ｂ）前記第１電極と前記第２電極との間に電位差を与えて前記放電セルを駆動する駆動部とを備えたプラズマディスプレイ装置であって、
前記駆動部は、
第１電圧から第２電圧まで連続的に変化する電圧パルスを発生可能なパルス発生部を備え、
前記パルス発生部を制御して、前記電圧パルスを出力し始め、その後、前記電圧パルスが前記第１電圧と前記第２電圧との間の第３電圧に到達した時点で前記電圧パルスの変化を停止することを特徴とする、
プラズマディスプレイ装置。
【請求項２】
請求項１に記載のプラズマディスプレイ装置であって、
前記電圧パルスを前記第１電極への印加電圧とすることを特徴とする、
プラズマディスプレイ装置。
【請求項３】
請求項１に記載のプラズマディスプレイ装置であって、
前記第３電圧は放電開始電圧に対して前記第２電圧の側に設定され、
前記電圧パルスは、前記放電開始電圧を超えた時点から放電遅れ時間よりも長い時間が経過した後に前記第３電圧に到達することを特徴とする、
プラズマディスプレイ装置。
【請求項４】
請求項１乃至３の何れかに記載のプラズマディスプレイ装置であって、
前記電圧パルスは、ＣＲ電圧パルス，傾斜電圧パルス及びＬＣ共振電圧パルスの少なくとも１つを含むことを特徴とする、
プラズマディスプレイ装置。
【請求項５】
請求項４に記載のプラズマディスプレイ装置であって、
前記パルス発生部は、矩形電圧パルスを発生可能であり、
前記駆動部は、
前記パルス発生部を制御して、前記ＣＲ電圧パルス，前記傾斜電圧パルス及び前記ＬＣ共振電圧パルスのいずれかと前記矩形電圧パルスとが重畳された電圧パルスを、前記第１電極と前記第２電極との間への印加電圧として出力することを特徴とする、
プラズマディスプレイ装置。
【請求項６】
請求項１乃至５のいずれかに記載のプラズマディスプレイ装置であって、
画像表示のための１フィールドをそれぞれがアドレス期間及び前記アドレス期間の後に設けられる維持期間を含んだ複数のサブフィールドに分割し、前記アドレス期間において前記維持期間で前記放電セルを発光させるか否かを規定し、前記維持期間において前記アドレス期間で発光させるように規定された場合に前記放電セルを発光させる場合、
前記駆動部は、
前記１フィールドの内の少なくとも１つの前記サブフィールドにおいて、前記アドレス期間及び前記維持期間以外の期間で前記電圧パルスの印加開始及び停止を行うことを特徴とする、
プラズマディスプレイ装置。
【請求項７】
請求項６に記載のプラズマディスプレイ装置であって、
前記駆動部は、
前記電圧パルスによって、表示履歴に関わらず前記放電セルに放電を形成する動作と、前記放電セルが直前の前記維持期間で発光した場合にのみ前記放電セルに放電を形成する動作との少なくとも一方を行うことを特徴とする、
プラズマディスプレイ装置。
【請求項８】
請求項６又は７に記載のプラズマディスプレイ装置であって、
前記駆動部は、前記アドレス期間の前に前記電圧パルスを前記第１電極への印加電圧として出力し始め、
前記電圧パルスの前記第３電圧は、接地電位と、前記維持期間において前記放電セルを発光させるように前記アドレス期間で規定する際に前記アドレス期間において前記第１電極に印加されるアドレス電圧との間の値に設定されることを特徴とする、
プラズマディスプレイ装置。
【請求項９】
請求項１に記載のプラズマディスプレイ装置であって、
前記駆動部は、
前記パルス発生部を制御して、前記第１電極への印加電圧として前記電圧パルスを出力し始め、その後、前記電圧パルスが前記第１電圧と前記第２電圧との間の第３電圧に到達した時点で前記電圧パルスの変化を停止し、その後に、前記放電セルを表示発光させるか否かを規定する動作を実施することを特徴とする、
プラズマディスプレイ装置。
【請求項１０】
（ａ）第１電極及び第２電極を含む放電セルを備えたプラズマディスプレイパネルと、（ｂ）前記第１電極と前記第２電極との間に電位差を与えて前記放電セルを駆動する駆動部とを備え、
画像表示のための１フィールドをそれぞれがアドレス期間及び前記アドレス期間の後に設けられる維持期間を含んだ複数のサブフィールドに分割し、前記アドレス期間において前記第１電極にアドレス電圧を印加すると共に前記維持期間で前記放電セルを発光させるか否かを規定し、前記維持期間において前記アドレス期間で発光させるように規定された場合に前記放電セルを発光させるプラズマディスプレイ装置であって、
前記駆動部は、前記アドレス期間の前に、
前記アドレス電圧と同じ極性を有し、前記放電セル内に放電を発生させて壁電荷を形成する第１電圧パルスを発生して前記第１電極への印加電圧として出力する第１工程と、
前記第１工程の後に、前記第１電圧パルスと同じ極性を有し、前記放電セル内に放電を発生させて、前記壁電荷の状態を調整する第２電圧パルスを発生して前記第１電極への印加電圧として出力する第２工程とを行い、
前記第１電圧パルス及び前記第２電圧パルスは、所定の極性の側へ絶対値が連続的に増大する波形を有することを特徴とする、
プラズマディスプレイ装置。
【請求項１１】
請求項１０に記載のプラズマディスプレイ装置であって、
前記駆動部は、
前記第１工程と前記第２工程との間に、前記第１電圧パルスとは逆の極性を有する第３電圧パルスを発生して前記第１電極への印加電圧として出力する第３工程を行い、
前記第３電圧パルスは、所定の極性の側へ絶対値が連続的に増大する波形を有することを特徴とする、
プラズマディスプレイ装置。
【請求項１２】
請求項１０又は１１に記載のプラズマディスプレイ装置であって、
前記駆動部は、
前記第１工程の前に、前記放電セル内の壁電荷を減少させる第４工程を行うことを特徴とする、
プラズマディスプレイ装置。
【請求項１３】
請求項１２に記載のプラズマディスプレイ装置であって、
前記駆動部は、前記第４工程において、
前記放電セルに放電を形成させる第４電圧パルスを発生して、前記第１電極と前記第２電極との間への印加電圧として出力する工程と、
前記放電セルに放電を形成させる第５電圧パルスを発生して、前記第１電極と前記第２電極との間への印加電圧として出力する工程とを順次に行い、
前記第４電圧パルスは、前記第４電圧パルスの立ち上がり時及び立ち下がり時に放電を形成可能な電圧パルスであり、
前記第５電圧パルスは、所定の極性の側へ絶対値が連続的に増大する波形を有することを特徴とする、
プラズマディスプレイ装置。
【請求項１４】
（ａ）第１電極及び第２電極を含む放電セルを備えたプラズマディスプレイパネルと、（ｂ）前記第１電極と前記第２電極との間に電位差を与えて前記放電セルを駆動する駆動部とを備えたプラズマディスプレイ装置であって、
前記駆動部は、
前記第１電極と前記第２電極との間に２つの電圧パルスを順次に印加して前記放電セル内に放電を順次に形成し、
前記２つの電圧パルスの内で後に印加される後の電圧パルスは、前記２つの電圧パルスの内で先に印加される先の電圧パルスよりも緩やかに変化し、
前記駆動部は、
前記先の電圧パルスによる前記放電で生じたプライミング粒子が前記放電セル内に残存している間に、前記後の電圧パルスを印加することを特徴とする、
プラズマディスプレイ装置。
【請求項１５】
請求項１乃至１４のいずれかに記載の前記駆動部を備えることを特徴とする、
プラズマディスプレイパネル用駆動装置。
【手続補正３】
【補正対象書類名】明細書
【補正対象項目名】００６６
【補正方法】変更
【補正の内容】
【００６６】
【課題を解決するための手段】
本発明の主題は、（ａ）第１電極及び第２電極を含む放電セルを備えたプラズマディスプレイパネルと、（ｂ）前記第１電極と前記第２電極との間に電位差を与えて前記放電セルを駆動する駆動部とを備えたプラズマディスプレイ装置であって、前記駆動部は、第１電圧から第２電圧まで連続的に変化する電圧パルスを発生可能なパルス発生部を備え、前記パルス発生部を制御して、前記電圧パルスを出力し始め、その後、前記電圧パルスが前記第１電圧と前記第２電圧との間の第３電圧に到達した時点で前記電圧パルスの変化を停止することを特徴とする。
【手続補正４】
【補正対象書類名】明細書
【補正対象項目名】００６７
【補正方法】削除
【補正の内容】
【手続補正５】
【補正対象書類名】明細書
【補正対象項目名】００６８
【補正方法】削除
【補正の内容】
【手続補正６】
【補正対象書類名】明細書
【補正対象項目名】００６９
【補正方法】削除
【補正の内容】
【手続補正７】
【補正対象書類名】明細書
【補正対象項目名】００７０
【補正方法】削除
【補正の内容】
【手続補正８】
【補正対象書類名】明細書
【補正対象項目名】００７１
【補正方法】削除
【補正の内容】
【手続補正９】
【補正対象書類名】明細書
【補正対象項目名】００７２
【補正方法】削除
【補正の内容】
【手続補正１０】
【補正対象書類名】明細書
【補正対象項目名】００７３
【補正方法】削除
【補正の内容】
【手続補正１１】
【補正対象書類名】明細書
【補正対象項目名】００７４
【補正方法】削除
【補正の内容】
【手続補正１２】
【補正対象書類名】明細書
【補正対象項目名】００７５
【補正方法】削除
【補正の内容】
【手続補正１３】
【補正対象書類名】明細書
【補正対象項目名】００７６
【補正方法】削除
【補正の内容】
【手続補正１４】
【補正対象書類名】明細書
【補正対象項目名】００７７
【補正方法】削除
【補正の内容】
【手続補正１５】
【補正対象書類名】明細書
【補正対象項目名】００７８
【補正方法】削除
【補正の内容】
【手続補正１６】
【補正対象書類名】明細書
【補正対象項目名】００７９
【補正方法】削除
【補正の内容】
【手続補正１７】
【補正対象書類名】明細書
【補正対象項目名】００８０
【補正方法】削除
【補正の内容】
【手続補正１８】
【補正対象書類名】明細書
【補正対象項目名】００８１
【補正方法】削除
【補正の内容】
【手続補正１９】
【補正対象書類名】明細書
【補正対象項目名】００８２
【補正方法】削除
【補正の内容】
【手続補正２０】
【補正対象書類名】明細書
【補正対象項目名】００８３
【補正方法】削除
【補正の内容】
【手続補正２１】
【補正対象書類名】明細書
【補正対象項目名】００８４
【補正方法】削除
【補正の内容】
【手続補正２２】
【補正対象書類名】明細書
【補正対象項目名】００８５
【補正方法】削除
【補正の内容】
【手続補正２３】
【補正対象書類名】明細書
【補正対象項目名】００８６
【補正方法】削除
【補正の内容】
【手続補正２４】
【補正対象書類名】明細書
【補正対象項目名】００８７
【補正方法】削除
【補正の内容】
【手続補正２５】
【補正対象書類名】明細書
【補正対象項目名】００８８
【補正方法】削除
【補正の内容】
【手続補正２６】
【補正対象書類名】明細書
【補正対象項目名】００８９
【補正方法】削除
【補正の内容】
【手続補正２７】
【補正対象書類名】明細書
【補正対象項目名】００９０
【補正方法】削除
【補正の内容】
【手続補正２８】
【補正対象書類名】明細書
【補正対象項目名】００９１
【補正方法】削除
【補正の内容】
【手続補正２９】
【補正対象書類名】明細書
【補正対象項目名】００９２
【補正方法】削除
【補正の内容】
【手続補正３０】
【補正対象書類名】明細書
【補正対象項目名】００９３
【補正方法】削除
【補正の内容】
【手続補正３１】
【補正対象書類名】明細書
【補正対象項目名】００９４
【補正方法】削除
【補正の内容】
【手続補正３２】
【補正対象書類名】明細書
【補正対象項目名】００９５
【補正方法】削除
【補正の内容】
【手続補正３３】
【補正対象書類名】明細書
【補正対象項目名】００９６
【補正方法】削除
【補正の内容】
【手続補正３４】
【補正対象書類名】明細書
【補正対象項目名】０２３３
【補正方法】変更
【補正の内容】
【０２３３】
（２）請求項３に係る発明によれば、当該電圧パルスで以て持続的な微弱な放電を形成することができる。従って、表示に関係の無い放電を当該電圧パルスで以て形成することにより、例えば矩形電圧パルスを用いる場合と比較して、コントラストを向上させることができる。更に、持続的な微弱な放電に起因した効果、例えば電圧パルスの停止時点の電圧に依存した一定量の壁電荷を安定的に形成可能であるという効果を得ることができるので、（表示）動作を安定化することができる。
【手続補正３５】
【補正対象書類名】明細書
【補正対象項目名】０２３４
【補正方法】変更
【補正の内容】
【０２３４】
（３）請求項４に係る発明によれば、上記（１）又は（２）と同様の効果を得ることができる。
【手続補正３６】
【補正対象書類名】明細書
【補正対象項目名】０２３５
【補正方法】変更
【補正の内容】
【０２３５】
（４）請求項５に係る発明によれば、矩形電圧パルスの電圧分だけ変化時間を短縮化することができる。
【手続補正３７】
【補正対象書類名】明細書
【補正対象項目名】０２３６
【補正方法】変更
【補正の内容】
【０２３６】
（５）請求項６に係る発明によれば、アドレス期間及び維持期間以外の期間で上記電圧パルスの印加開始及び停止を行う。このため、例えばいわゆるリセット期間や消去期間等の表示に関係の無い時間を短縮することができる。その分だけ１フィールド内に時間余裕が生じるので、かかる時間余裕を維持パルス数やサブフィールド数の増大等に利用することによって、発光輝度や階調数を増大することができる。また、上記電圧パルスによって上述の持続的な微弱な放電を形成することによって、リセット期間等における、表示に関係の無い放電を弱くすることができ、これによりコントラストを向上させることができる。これらの結果、表示品質を向上させることができる。
【手続補正３８】
【補正対象書類名】明細書
【補正対象項目名】０２３７
【補正方法】変更
【補正の内容】
【０２３７】
（６）請求項７に係る発明によれば、上記（５）と同様の効果を得ることができる。このとき、１フィールドの内の少なくとも１つのサブフィールドにおいて例えば表示履歴に関わらず放電セルに放電を形成する動作を行わない場合、その分だけ１フィールド内に時間余裕が生じる。このため、かかる時間余裕を維持パルス数やサブフィールド数の増大等に利用することによって、発光輝度や階調数を増大して表示品質を更に向上させることができる。
【手続補正３９】
【補正対象書類名】明細書
【補正対象項目名】０２３８
【補正方法】変更
【補正の内容】
【０２３８】
（７）請求項８に係る発明によれば、アドレス期間の開始時の壁電荷量を最適化することができる。また、第３電圧を、アドレス電圧に等しく設定することによって、第３電圧を発生させるための回路とアドレス電圧を発生させるための回路とを共用することができるので、プラズマディスプレイ装置の低コスト化を図ることができる。また、第３電圧を、アドレス電圧からいわゆる副走査パルス分だけ差し引いた電圧に設定することによって、アドレス期間において第２電極に副走査パルスを印加しなくても副走査パルスの作用を得ることができる。このとき、副走査パルスを発生させるための回路を必要としないので、その分だけプラズマディスプレイ装置の低コスト化を図ることができる。
【手続補正４０】
【補正対象書類名】明細書
【補正対象項目名】０２３９
【補正方法】変更
【補正の内容】
【０２３９】
（８）請求項１０に係る発明によれば、アドレス期間の前に第２工程において壁電荷の状態を調整する。このため、アドレス期間の開始時の壁電荷の状態を最適化することができる。更に、プラズマディスプレイパネルが放電セルを複数有する場合に、隣接する放電セル間での異常放電を抑制することができる。その結果、アドレス期間及び維持期間での各動作を確実に行うことができ、（表示）動作を安定化することができる。また、第１電圧パルス及び第２電圧パルスは、所定の極性の側へ絶対値が連続的に増大する波形を有するので、矩形電圧パルスを用いる場合と比較して、不要な発光が抑制されてコントラストの向上を図ることができる。
【手続補正４１】
【補正対象書類名】明細書
【補正対象項目名】０２４０
【補正方法】変更
【補正の内容】
【０２４０】
（９）請求項１１に係る発明によれば、第２工程において壁電荷の状態をより確実に調整することができる。このため、上記（８）の効果がより顕著に得られる。また、第１乃至第３電圧パルスの各極性が交流的に変化するので、第１乃至第３電圧パルスの全てを例えば正極性とする場合よりも、第１電極に印加する電圧が小さくてすむ。このため、放電セル内に設けられる蛍光体層の劣化を抑制することができる。
【手続補正４２】
【補正対象書類名】明細書
【補正対象項目名】０２４１
【補正方法】変更
【補正の内容】
【０２４１】
（１０）請求項１２に係る発明によれば、表示履歴に関わらず放電セル内の壁電荷の状態を同一にすることができるので、第１工程における壁電荷の形成をより確実に行うことができる。
【手続補正４３】
【補正対象書類名】明細書
【補正対象項目名】０２４２
【補正方法】変更
【補正の内容】
【０２４２】
（１１）請求項１３に係る発明によれば、第４電圧パルスの後に第５電圧パルスを印加していわば２段階で壁電荷を減少させる。このため、第４電圧パルスのみを用いる場合と比較して、良好に壁電荷を減少させることができる。このとき、プラズマディスプレイパネルが放電セルを複数有する場合、複数の放電セル間で第４工程後の壁電荷の状態を均一化することができる。その結果、プラズマディスプレイパネルの全面において上記（１０）の効果が得られる。
【手続補正４４】
【補正対象書類名】明細書
【補正対象項目名】０２４３
【補正方法】変更
【補正の内容】
【０２４３】
（１２）請求項１４に係る発明によれば、先の電圧パルスによる放電で生じたプライミング粒子が放電セル内に残存している間に後の電圧パルスを印加するので、後の電圧パルスによる放電（下記の持続的な微弱な放電を含む）をスムーズに開始することができる。その結果、駆動電圧マージンを拡げることができる。更に、後の電圧で以って持続的な微弱な放電を形成する際に当該後の電圧の設計の自由度を増すことができる。
【手続補正４５】
【補正対象書類名】明細書
【補正対象項目名】０２４４
【補正方法】削除
【補正の内容】
【手続補正４６】
【補正対象書類名】明細書
【補正対象項目名】０２４５
【補正方法】削除
【補正の内容】
【手続補正４７】
【補正対象書類名】明細書
【補正対象項目名】０２４６
【補正方法】変更
【補正の内容】
【０２４６】
（１３）請求項９に係る発明によれば、第３電圧の設定によって、放電セルを表示発光させるか否かに関わりなく、放電セルを表示発光させるか否かを規定する動作時において放電セル内に放電を形成することができる。その結果、一の放電セル内で生じた放電によるプライミング粒子を利用して他の放電セル内での放電をより確実に形成することができる。このため、例えば放電セルを表示発光させるための放電のみを形成する場合と比較して、上述の表示発光のための放電を確実に形成することができる。その結果、放電セルを表示発光させるか否かを規定する動作が安定化して、ちらつき等が抑制された高品質の画像を得ることができる。
【手続補正４８】
【補正対象書類名】明細書
【補正対象項目名】０２４７
【補正方法】削除
【補正の内容】
【手続補正４９】
【補正対象書類名】明細書
【補正対象項目名】０２４８
【補正方法】削除
【補正の内容】
【手続補正５０】
【補正対象書類名】明細書
【補正対象項目名】０２４９
【補正方法】削除
【補正の内容】
【手続補正５１】
【補正対象書類名】明細書
【補正対象項目名】０２５０
【補正方法】削除
【補正の内容】
【手続補正５２】
【補正対象書類名】明細書
【補正対象項目名】０２５１
【補正方法】削除
【補正の内容】
【手続補正５３】
【補正対象書類名】明細書
【補正対象項目名】０２５２
【補正方法】削除
【補正の内容】
【手続補正５４】
【補正対象書類名】明細書
【補正対象項目名】０２５３
【補正方法】削除
【補正の内容】
【手続補正５５】
【補正対象書類名】明細書
【補正対象項目名】０２５４
【補正方法】削除
【補正の内容】
【手続補正５６】
【補正対象書類名】明細書
【補正対象項目名】０２５５
【補正方法】削除
【補正の内容】
【手続補正５７】
【補正対象書類名】明細書
【補正対象項目名】０２５６
【補正方法】削除
【補正の内容】
【手続補正５８】
【補正対象書類名】明細書
【補正対象項目名】０２５７
【補正方法】削除
【補正の内容】
【手続補正５９】
【補正対象書類名】明細書
【補正対象項目名】０２５８
【補正方法】削除
【補正の内容】
【手続補正６０】
【補正対象書類名】明細書
【補正対象項目名】０２５９
【補正方法】削除
【補正の内容】
【手続補正６１】
【補正対象書類名】明細書
【補正対象項目名】０２６０
【補正方法】削除
【補正の内容】
【手続補正６２】
【補正対象書類名】明細書
【補正対象項目名】０２６１
【補正方法】削除
【補正の内容】
【手続補正６３】
【補正対象書類名】明細書
【補正対象項目名】０２６２
【補正方法】削除
【補正の内容】